(57)【要約】【課題】簡単な構成で、ボルトの脱落が抑制できる座金を提供する。【解決手段】座金１０は、裏側面１０ｂには開口１６ａを備えるとともに表側面１０ａには開口１６ｂを有するボルト挿通孔１６を備える。ボルト挿通孔１６は、内周面に雌ネジ部１８が形成されている。【選択図】図３
2015108382.tif 000002
【特許請求の範囲】
【請求項１】
ボルト挿入側面にはボルト挿入側開口を備えるとともにボルト出口側面にはボルト出口開口を有するボルト挿通孔であって、内周面に雌ネジ部が形成されたボルト挿通孔を備える座金。
【請求項２】
前記ボルト挿通孔に対してオフセットした透孔と、
前記透孔と前記ボルト挿通孔を連通する連通部を備え、
前記連通部及び前記透孔は、前記ボルト挿通孔の雌ネジ部の谷径以下の径を有する請求項１に記載の座金。
【請求項３】
前記透孔の中心軸は、該座金の軸心と同軸に配置されている請求項２に記載の座金。
【請求項４】
前記透孔は、前記ボルト挿通孔と一部が重なるように配置され、
前記連通部は前記透孔と前記ボルト挿通孔の間に形成されている請求項２または請求項３に記載の座金。
【請求項５】
前記ボルト挿通孔の前記ボルト出口開口及び前記透孔の前記ボルト出口側面側の開口には、それぞれ面取り部が形成され、前記透孔の面取り部は、前記ボルト挿通孔の面取り部よりも深く形成されている請求項２乃至請求項４のうちいずれか１項に記載の座金。
【請求項６】
前記ボルト出口側面には、前記透孔に挿入されたボルトにより前記ボルト出口側面に当接して締結される被締結部材を規制する規制突部が形成されている請求項２乃至請求項５のうちいずれか１項に記載の座金。
【発明の詳細な説明】
【技術分野】
【０００１】
本発明は、座金に関するものである。
【背景技術】
【０００２】
特許文献１では、支持部材に対して被支持部材をボルトにより締結する際、前記ボルトを、座金及び前記支持部材に貫通させたうえで、前記被支持部材に対して螺着する構成が開示されている。この場合、前記ボルトの脱落を防止するために、前記支持部材には、前記座金を覆うカバーが固定されている。
【０００３】
また、ボルトの脱落防止のために、図示はしないが、ボルトに対して二重ナットを使用して、ボルトの脱落を防止することも行われている。
【先行技術文献】
【特許文献】
【０００４】
【特許文献１】特開２０１１−７５０７６号公報
【発明の概要】
【発明が解決しようとする課題】
【０００５】
ところが、特許文献１では、座金を覆うカバーを支持部材に対して固定するカバーが必要となるため、部品点数が多くなるとともに、カバーを支持部材に対して固定する取付作業も必要となる問題がある。
【０００６】
また、ボルトに対して二重ナットを使用する場合にも、ボルトの脱落防止のための部品点数が多くなる問題がある。
本発明の目的は、簡単な構成で、ボルトの脱落が抑制できる座金を提供することにある。
【課題を解決するための手段】
【０００７】
上記問題点を解決するために、座金は、ボルト挿入側面にはボルト挿入側開口を備えるとともにボルト出口側面にはボルト出口開口を有するボルト挿通孔であって、内周面に雌ネジ部が形成されたボルト挿通孔を備えるものである。
【０００８】
また、座金は、前記ボルト挿通孔に対してオフセットした透孔と、前記透孔と前記ボルト挿通孔を連通する連通部を備え、前記連通部及び前記透孔は、前記ボルト挿通孔の雌ネジ部の谷径以下、すなわち、挿入する雄ネジ部の山径以下の径を有するようにしてもよい。
【０００９】
また、座金において、前記透孔の中心軸は、該座金の軸心と同軸に配置されていてもよい。
また、前記透孔は、前記ボルト挿通孔と一部が重なるように配置され、前記連通部は前記透孔と前記ボルト挿通孔の間に形成されていてもよい。
【００１０】
また、前記ボルト挿通孔の前記ボルト出口開口及び前記透孔の前記ボルト出口側面側の開口には、それぞれ面取り部が形成され、前記透孔の面取り部は、前記ボルト挿通孔の面取り部よりも深く形成されていることが好ましい。
【００１１】
また、前記ボルト出口側面には、前記透孔に挿入されたボルトにより前記ボルト出口側面に当接して締結される被締結部材を規制する規制突部が形成されていてもよい。
【発明の効果】
【００１２】
本発明によれば、簡単な構成で、ボルトの脱落が抑制できる効果を奏する。
【図面の簡単な説明】
【００１３】
【図１】一実施形態の座金の斜視図。
【図２】一実施形態の座金の平面図。
【図３】一実施形態の座金の側面図。
【図４】一実施形態の座金の使用例を示す概略説明図。
【図５】一実施形態において、ボルトを座金のボルト挿通孔に通す場合の説明図。
【図６】一実施形態において、ボルトを座金の透孔に通す場合の説明図。
【図７】他の実施形態の座金斜視図。
【発明を実施するための形態】
【００１４】
以下、本発明を具体化した一実施形態の座金を図１〜図６を参照して説明する。
図１に示すように、座金１０は、円盤状に形成されている。座金１０の表側面１０ａの周縁部には、リング状の突条１２が形成されている。突条１２は、規制突部の一例である。図２、図３に示すように座金１０の突条１２で囲まれた表側面１０ａには、裏側面１０ｂまで貫通した透孔１４及びボルト挿通孔１６が形成されている。前記表側面１０ａはボルト出口側面の一例である。また、裏側面１０ｂは、ボルト挿入側面の一例である。
【００１５】
図２に示すように透孔１４は、その中心軸が座金１０の軸心Ｏと同軸となるようにして穿設されている。透孔１４は、ボルト３０の雄ネジ部３４の山径以下の径を有する。
また、図２に示すようにボルト挿通孔１６は、軸心Ｏからオフセットした中心軸Ｏ１を有するように穿設されるとともに、透孔１４と一部が重なるように配置されている。
【００１６】
ボルト挿通孔１６の裏側面１０ｂの開口１６ａはボルト挿入側開口に相当する。また、ボルト挿通孔１６の表側面１０ａの開口１６ｂはボルト出口開口に相当する。透孔１４とボルト挿通孔１６間には連通部２０が設けられている。連通部２０は、ボルト３０の雄ネジ部３４の山径以下の間隔を有する。
【００１７】
図５に示すようにボルト挿通孔１６に螺合するボルト３０は、ボルトヘッド３２、雄ネジ部３４及び雄ネジ部３４をボルトヘッド３２に連結するとともに雄ネジ部３４の山径よりも小径の小径部３６を有する。
【００１８】
ボルト挿通孔１６の雌ネジ部１８は、ボルト３０の雄ネジ部３４と螺合するネジ径及びネジピッチを有する。この結果、ボルト３０の雄ネジ部３４をボルト挿通孔１６から通過させることができ、通過させると、小径部３６は、雌ネジ部１８の谷径以下の間隔を有する連通部２０を介して同じく雌ネジ部１８の谷径以下の径を有する透孔１４に移動可能である。
【００１９】
なお、図５に示すボルト３０は、ボルトヘッド３２に六角穴を有するが、この形式に限定するものではなく、例えば、外形が六角を有するボルト（六角ボルト）であってもよい。
【００２０】
また、図１、図２に示すように、ボルト挿通孔１６の開口１６ｂの周縁には、面取り部１７が形成されている。ボルト３０の雄ネジ部３４は、面取り部１７にガイドされて、雌ネジ部１８から凹部１９側へ通過可能であるとともに、雌ネジ部１８に対して螺入可能である。また表側面１０ａ側の透孔１４の開口には、面取り部１５が形成されている。図１に示すように面取り部１５は、連通部２０まで延出されている。透孔１４の面取り部１５は、ボルト挿通孔１６の面取り部１７よりも深く形成されている。
【００２１】
（実施形態の作用）
さて、上記のように構成された座金１０の作用を図４〜図６を参照して説明する。
図４は、ボルト３０により、扉部材４０に対して、コ字状に形成された把手５０の各端部が締結された状態を示している。本実施形態では、把手５０の各端部の断面形状は、座金１０の突条１２で囲まれる凹部１９の断面形状と相似形状に形成されており、前記凹部１９内に嵌合可能に形成されている。把手５０は、被締結部材の一例である。
【００２２】
把手５０の端部５２は、座金１０の突条１２で囲まれる凹部１９内に嵌合された状態で、扉部材４０の裏面（図４では下面）から扉部材４０及び座金１０を貫通したボルト３０の雄ネジ部３４にて締結されている。この締結により、把手５０の各端面は、座金１０の表側面１０ａに当接されている。
【００２３】
この把手５０を扉部材４０に取付けする場合、図５に示すように、扉部材４０の裏面側から扉部材４０の貫通孔４２にボルト３０を挿通するとともに、座金１０のボルト挿通孔１６に対してボルト３０の雄ネジ部３４を螺合する。そして、ボルト３０の雄ネジ部３４をボルト挿通孔１６から通過させる。ボルト挿通孔１６から雄ネジ部３４を通過させると、小径部３６がボルト挿通孔１６に挿入された状態となるため、この状態で、図６に示すように、座金１０を移動させて小径部３６を連通部２０から透孔１４内に位置させるようにする。この状態で、把手５０の端面に設けられた雌ネジ孔に対してボルト３０を螺合する。この場合、把手５０の端部端面に対するボルト３０の螺合が進行すると、把手５０の端部が突条１２に規制された状態で凹部１９内に嵌合されて扉部材４０に対して締結される。
【００２４】
＜ボルト３０が緩んだ場合＞
また、扉部材４０に対するボルト３０による把手５０の締結後において、ボルト３０の締結が緩むことがある。例えば、扉部材４０の開閉時における振動、或いは、周辺環境から長期間に亘って付与される振動等によってボルトの締結の緩みが生ずる。
【００２５】
前記ボルト３０の締結の緩みがあっても、把手５０の端部が凹部１９内に嵌合されている場合には、ボルト挿通孔１６の雌ネジ部１８と、把手５０の雌ネジ孔は同軸にはなくずれていることから、ボルト３０がボルト挿通孔１６の雌ネジ部１８から抜け出ることがないとともに透孔１４から抜けでることもない。
【００２６】
前記ボルト３０の締結の緩みにより、ボルト３０が把手５０の端面の雌ネジ孔から抜け出た場合、ボルト３０の小径部３６が透孔１４またはボルト挿通孔１６または連通部２０のいずれかの位置に挿通された状態となる。
【００２７】
以下では、扉部材４０の表面（把手５０を取り付けている面）が上を向いている場合、上方とは直交する横を向いている場合について説明する。なお、把手５０の扉部材４０の表面が下を向いている場合は、ボルト３０の雄ネジ部３４が重力方向の下向きになり、ボルト３０のボルトヘッド３２が、扉部材４０の裏面に係止する。このため、この場合は、扉部材４０の表面（把手５０を取り付けている面）が上を向いている場合よりもボルト３０が更に扉部材４０の貫通孔４２から抜け出にくくなることは自明であるため説明を省略する。
【００２８】
＜１．扉部材４０の表面（把手５０を取り付けている面）が上を向いている場合＞
この場合、ボルト３０が重力方向に引っ張られるため、ボルトヘッド３２が下向きになるとともに、ボルト３０の雄ネジ部３４は、透孔１４の面取り部１５、または、連通部２０の面取り部１５に係合する。なお、振動等により雄ネジ部３４がボルト挿通孔１６に移動しようとしても、面取り部１５の方が、ボルト挿通孔１６の面取り部１７よりも面取りを深く形成しているため、雄ネジ部３４を面取り部１５の方に誘うことになる。このため、ボルト３０が、ボルト挿通孔１６側に移動することが抑制されるため、ボルト挿通孔１６からのボルト３０の抜けを抑制する。
【００２９】
＜２．扉部材４０の表面（把手５０を取り付けている面）が横を向いている場合＞
この場合、例えば、図６に示すようにボルト３０は、貫通孔４２が許容する範囲で、横方向に向く姿勢か、或いは、ボルトヘッド３２が若干下向き、或いは若干上向きの姿勢となる。この場合、座金１０は、ボルト３０及び把手５０による拘束が解除されているため、振動等により、自由に小径部３６の周りで回転可能となる。
【００３０】
座金１０の回転位置によって、ボルト３０の雄ネジ部３４が、透孔１４、または、連通部２０の面取り部１５に係合することになる。
仮に、座金１０の回転位置によって、雄ネジ部３４が連通部２０から遠位のときは、ボルト挿通孔１６からのボルト３０の抜けを抑制する。
【００３１】
また、仮に座金１０の回転位置によって、雄ネジ部３４が連通部２０に近位のときは、雄ネジ部３４が、面取り部１７にガイドされない限り、ボルト挿通孔１６からボルト３０が抜け出ることがない。特に、ボルトヘッド３２が若干下向き、或いは若干上向きの姿勢の場合は、ボルト３０がボルト挿通孔１６に対して斜めとなるため、極めてボルト挿通孔１６に螺入しがたいものとなる。
【００３２】
従って、この場合においても、座金１０によって、ボルト３０の抜け出しが困難となる。
なお、扉部材４０が、斜め下方向き、或いは斜め上方向きの場合は、上記の作用が組み合わされるため、いずれにしても、ボルト３０の抜けを抑制できる。
【００３３】
本実施形態によれば、下記の特徴がある。
（１）本実施形態の座金１０は、裏側面１０ｂ（ボルト挿入側面）には開口１６ａ（ボルト挿入側開口）を備えるとともに表側面１０ａ（ボルト出口側面）には開口１６ｂ（ボルト出口開口）を有するボルト挿通孔１６を備える。また、ボルト挿通孔１６は、内周面に雌ネジ部１８が形成されている。この結果、本実施形態によれば、簡単な構成で、ボルトの脱落が抑制できる。
【００３４】
（２）本実施形態の座金１０は、ボルト挿通孔１６に対してオフセットした透孔１４と、前記透孔１４とボルト挿通孔１６を連通する連通部２０を備えている。また、連通部２０及び透孔１４は、ボルト挿通孔１６の雌ネジ部１８の谷径（すなわち、ボルト３０の雄ネジ部３４の山径）以下の径を有する。
【００３５】
この結果、本実施形態によれば、連通部２０及び透孔１４が、ボルト挿通孔１６の雌ネジ部１８の谷径以下であるため、ボルト挿通孔１６に螺合するボルトを透孔１４または連通部２０で、抜け出しを抑制することができる。
【００３６】
（３）本実施形態の座金１０の透孔１４の中心軸は、座金１０の軸心Ｏと同軸に配置されている。この結果、ボルト締結時には、座金１０をボルトの軸心と同軸にすることができる。
【００３７】
（４）本実施形態の座金１０の透孔１４は、ボルト挿通孔１６と一部が重なるように配置されている。また、連通部２０は透孔１４とボルト挿通孔１６の間に形成されている。この結果、本実施形態によれば、ボルト挿通孔１６と一部が重なるように配置した分だけ、座金１０の大きさを小さくできる。
【００３８】
（５）本実施形態の座金１０は、ボルト挿通孔１６の開口１６ｂ（ボルト出口開口）及び透孔１４の表側面１０ａ（ボルト出口側面）側の開口には、それぞれ面取り部１７、１５が形成されている。また、透孔１４の面取り部１５は、ボルト挿通孔１６の面取り部１７よりも深く形成されている。
【００３９】
この結果、雄ネジ部を面取り部の方に誘うことができ、ボルトがボルト挿通孔１６側に移動することが抑制されるため、ボルト挿通孔からのボルトの抜けを抑制できる。
（６）本実施形態の座金１０は、表側面１０ａ（ボルト出口側面）には、透孔１４に挿入されたボルトにより表側面１０ａ（ボルト出口側面）に当接して締結される把手５０（被締結部材）を規制する突条１２（規制突部）が形成されている。この結果、本実施形態によれば、ボルトの締結の若干の緩みがあった場合、被締結部材の締結の緩みによる動きを規制突部により規制することができる。
【００４０】
なお、本発明は前記実施形態に限定されるものではなく、下記のように構成してもよい。
・前記実施形態では、透孔１４を設けたが、透孔１４を省略してもよい。この場合、貫通孔４２の中心軸Ｏ１は、座金１０の軸心と同軸に配置してもよい。このようにした場合、例えば、把手５０から抜け出たボルト３０の雄ネジ部３４が、ボルト挿通孔１６に合致しない限り、ボルト３０が、座金１０から抜け出ることがない。ボルト３０の雄ネジ部３４が、ボルト挿通孔１６の雌ネジ部１８に対して合致するまでの期間及び合致した後からボルト挿通孔１６を抜け出るまでの期間は、ボルト挿通孔１６が、扉部材４０から抜け出せない期間となる。
【００４１】
なお、雌ネジ部１８が形成されていない従来の座金の場合は、前述したボルト挿通孔１６の雌ネジ部１８に対して合致するまでの期間及び合致した後からボルト挿通孔１６を螺退しながら抜け出るまでの期間はない。
【００４２】
このため、従来は、この実施形態に比較すると、把手５０との螺合が解除されたボルトは、扉部材４０から脱落する時期が早期となる。一方、この実施形態によればボルトの脱落時点を遅くすることができ、そのボルト脱落時点が遅くなるだけ、ボルトの緩んだことを知らせる期間が長くできる。例えば、ボルト３０と把手５０との螺合が解除されると、扉部材４０の開閉等による振動、或いは、周辺環境の振動が付与されれば、その振動により座金１０が振動する。このため、座金１０が扉部材４０、把手５０等に当たるときの音等により、ボルトの緩みがあることを報知することも期待できる。
【００４３】
・前記実施形態において、突部（突条１２等）を省略してもよい。
・前記実施形態において、前記表側面１０ａをボルト出口側面とし、裏側面１０ｂをボルト挿入側面としたが、逆の関係であってもよい。
【００４４】
・前記実施形態では、座金１０を円盤状に形成したが、これは一例であってその形状は限定されるものではない。
例えば、図７に示すように、座金１０を四角板状に形成するとともに、表側面１０ａの長手方向の両端に規制突部としての突部１３を形成してもよい。なお、図７に示す構成において、前記実施形態と同一または相当する構成については、同一符号を付して、その説明を省略する。図７に示す例では、把手５０に代えて六角ナット６０を被締結部材としている。このようにしても、ボルト３０と六角ナット６０により、図示しない支持部材に対して、図示しない被支持部材を取付固定することが可能であり、この場合でもボルト挿通孔１６からのボルト３０の抜けを抑制できる。なお、図７では、被支持部材、及び支持部材は説明の便宜上、省略されている。
【００４５】
・前記実施形態では、透孔１４の一部がボルト挿通孔１６と重なるように配置したが、重ならないように離間して配置してもよい。この場合、連通部は、両者を繋ぐように設ければよい。また、この場合、前記連通部は、ボルトの雄ネジの山径よりも小径の小径部３６を移動可能な幅に形成すればよい。
【００４６】
・前記実施形態において、透孔１４とボルト挿通孔１６のそれぞれに面取り部１５及び面取り部１７を設けたが、省略してもよい。或いは、面取り部１５と面取り部１７の面取り深さを同じとしてもよい。
【００４７】
・前記実施形態では、ボルト３０を六角穴ボルトとしたが、六角穴ボルト以外の多角穴等の穴ボルト、または、六角ボルト以外のボルトであってもよい。
【符号の説明】
【００４８】
１０…座金、１０ａ…表側面（ボルト出口側面）、
１０ｂ…裏側面（ボルト挿入側面）、１２…突条（突部）、１４…透孔、
１５…面取り部、１６…ボルト挿通孔、１６ａ…開口（ボルト挿入側開口）、
１６ｂ…開口（ボルト出口開口）、１７…面取り部、
３０…ボルト、３２…ボルトヘッド、３４…雄ネジ部、３６…小径部、
４０…扉部材４０。
【図１】
2015108382.tif 000003
【図２】
2015108382.tif 000004
【図３】
2015108382.tif 000005
【図４】
2015108382.tif 000006
【図５】
2015108382.tif 000007
【図６】
2015108382.tif 000008
【図７】
2015108382.tif 000009